(57)【特許請求の範囲】
【請求項１】
弾性部材によって、被取付部材に光学部品を収納する空間内の２つの面に対して、上記光学部品を押圧して取付ける光学部品の取付構造であって、上記被取付部材に形成され、上方に開口した開口部を有する凹部から上記光学部品を固定するための接着剤を注入し、上記光学部品が上記２つの面に対してそれぞれ接触する接触位置の間に上記接着剤を配置して、上記光学部品を上記空間内に固定することを特徴とする光学部品の取付構造。
【請求項２】
上記凹部の内面には傾斜面が形成され、上記凹部の底面部より上記開口部が大きく形成されたことを特徴とする請求項１に記載の光学部品の取付構造。
【請求項３】
弾性部材によって、被取付部材に光学部品を収納する空間内の２つの面に対して、上記光学部品を押圧して取付ける光学部品の取付構造を有し、上記被取付部材に形成され、上方に開口した開口部を有する凹部から上記光学部品を固定するための接着剤を注入し、上記光学部品が上記２つの面に対してそれぞれ接触する接触位置の間に上記接着剤を配置して、上記光学部品を上記空間内に固定することを特徴とする光学ピックアップ装置。
【請求項４】
弾性部材によって、被取付部材に光学部品を収納する空間内の２つの面に対して、上記光学部品を押圧して取付ける光学部品の取付構造を有し、上記被取付部材に形成され、上方に開口した開口部を有する凹部から上記光学部品を固定するための接着剤を注入し、上記光学部品が上記２つの面に対してそれぞれ接触する接触位置の間に上記接着剤を配置して、上記光学部品を上記空間内に固定することを特徴とする記録及び／又は再生装置。
【発明の詳細な説明】
【０００１】
【産業上の利用分野】
本発明は、例えば光学部品取付用のベースにフォーカスサーボ用のレンズ鏡筒を取り付ける場合に使用し好適な光学部品の取付構造及び光学ピックアップ装置、記録及び／又は再生装置
に関するものである。
【０００２】
【従来の技術】
近年、コンピュータ等のデータを保存する手段としては、データ保存容量が大きいこと，アクセスが高速であることおよび可搬性にすぐれていること等の利点をもつことから、光磁気ディスクを記録媒体とした記録再生装置が使用されるようになっている。
【０００３】
このような記録再生装置は、光磁気ディスクを保持するディスクホルダーを有するディスクローディング機構と、このディスクローディング機構の下方に設けられ光磁気ディスクを吸着保持するディスクテーブルおよびこのディスクテーブルを回転駆動するスピンドルモータを有する回転駆動機構と、この回転駆動機構の後方に設けられ対物レンズを有する光学ピックアップ装置と、この光学ピックアップ装置の上方に設けられ磁気ヘッドを有する磁気ヘッド装置等とから大略構成されている。
【０００４】
このうち光学ピックアップ装置は、高速アクセス化に対応するために可動部分を軽量にした分離光学系とされる。
【０００５】
従来、この種の光学ピックアップ装置は、記録再生に用いる光源となるレーザダイオードやフォーカス，トラッキング制御を行うために用いる信号検出器や記録信号を検出する信号検出器等を有する固定光学系と、この固定光学系からの光ビームをディスク装着位置における光磁気ディスクの信号記録面に集光するための対物レンズを２軸方向に可動自在に保持するキャリッジを有する可動光学系とを備えたものが採用されている。
【０００６】
このように構成された光学ピックアップ装置においては、固定光学系において発生するレーザ光が対物レンズを透過して光磁気ディスクに照射することにより磁気記録材料をキュリー温度に加熱すると共に、光磁気ディスクに対する照射光が信号記録面を反射して固定光学系の受光素子にサーボ信号および再生信号として戻される。
【０００７】
ところで、このような光学ピックアップ装置においては、図４に示すようにマルチレンズによってフォトディテクタに非点収差を発生させ、光磁気ディスクと対物レンズ間の距離が一定の距離（対物レンズの焦点距離）を保つようにフォーカスサーボが行われる。
【０００８】
この光学ピックアップ装置のマルチレンズは、図５（Ａ）および（Ｂ）に示すように断面視略三角形状のレンズ鏡筒１に内蔵されている。
【０００９】
このレンズ鏡筒１は、マルチレンズを透過した光磁気ディスクからの反射光をフォトディテクタに結像させるために光学部品取付用のベース２に対する取付前に焦点調整の必要がある。
【００１０】
このため、ベース２に対するレンズ鏡筒１の取り付けは、シールドスプリング３によってベース２の収納空間２ａにおける２周方向位置ａ，ｂにレンズ鏡筒１を押圧接触させて光路方向に移動操作してから行われる。
【００１１】
なお、図中符号４はベース２に対するレンズ鏡筒１の押圧接触位置ａ，ｂと異なる周方向位置ｃにレンズ鏡筒１を取り付けるための接着剤４である。
【００１２】
【発明が解決しようとする課題】
しかるに、従来の調整用光学部品の取付構造においては、接着剤注入の簡素化を考慮し、ベース２に対する取付位置がレンズ鏡筒１の上部部位すなわち両押圧接触位置ａ，ｂの外側に設定されており、このため図６に矢印Ａ1で示すように温度変化によって接着剤４が変化（伸長）すると、この伸長力がシールドスプリング２の弾撥力Ｂ方向に対し直交するような矢印Ａ2方向にレンズ鏡筒１に作用してスプリング付勢力が効果的に得られず、レンズ鏡筒１の位置が調整位置から変動していた。
【００１３】
この結果、フォトディテクタにおける焦点の位置が変動し、特性が安定した光学系を得ることができないという問題があった。
【００１４】
本発明はこのような事情に鑑みてなされたもので、温度変化によって接着剤が伸長しても調整用光学部品に対するスプリングの付勢力を効果的に得ることができ、調整用光学部品の位置変動を防止することができる調整用光学部品の取付構造を提供するものである。
【００１５】
本発明の別の発明は、フォトディテクタにおけるレンズ焦点の位置変動を防止することができ、もって特性が安定した光学系を得ることができる光磁気ディスク装置を提供するものである。
【００１６】
請求項１の発明に係る光学部品の取付構造は、弾性部材によって、被取付部材に光学部品を収納する空間内の２つの面に対して、上記光学部品を押圧して取付ける光学部品の取付構造であって、上記被取付部材に形成され、上方に開口した開口部を有する凹部から上記光学部品を固定するための接着剤を注入し、上記光学部品が上記２つの面に対してそれぞれ接触する接触位置の間に上記接着剤を配置して、上記光学部品を上記空間内に固定したものである。
【００１７】
請求項３の発明に係る光学ピックアップ装置および請求項４の発明に係る記録及び／又は再生装置は、弾性部材によって、被取付部材に光学部品を収納する空間内の２つの面に対して、上記光学部品を押圧して取付ける光学部品の取付構造を有し、上記被取付部材に形成され、上方に開口した開口部を有する凹部から上記光学部品を固定するための接着剤を注入し、上記光学部品が上記２つの面に対してそれぞれ接触する接触位置の間に上記接着剤を配置して、上記光学部品を上記空間内に固定したものである。
【００１８】
本発明（請求項１、３、４）においては、温度変化によって接着剤が伸張すると、この伸張力が弾性部材の弾撥力方向と反対の方向に沿って光学部品に作用する。
【００２０】
【実施例】
以下、本発明の構成等を図に示す実施例によって詳細に説明する。
【００２１】
図１（Ａ）および（Ｂ）は本発明に係る調整用光学部品の取付構造を光磁気ディスク装置に使用した例を示す斜視図と断面図、図２は本発明の別の発明に係る光磁気ディスク装置の光学ピックアップ装置を示す分解斜視図である。
【００２２】
先ず、光学ピックアップ装置における２軸アクチュエータを制御する信号の経路につき、図２を用いて概略説明する。
【００２３】
同図において、回路基板１１上のレーザーダイオード１２から発射したレーザ光がコリーメーションレンズ１３を透過して平行光となり、この平行光がアナモフィックプリズム１４によってビーム補正され、グレーティング１５によってトラッキングサーボに用いるサイドビームが作られる。
【００２４】
そして、ビームスプリッター１６によってポラリゼーションビームスプリッタ１７を透過する光線とキャリッジ１８に入射する光線に分割される。
【００２５】
このうちキャリッジ１８に入射する光線は対物レンズ１９を透過すると、光磁気ディスクの信号記録面に照射し、この反射光が再度対物レンズ１９およびビームスプリッター１６を透過してウォラストンプリズム２０に入射し、集光レンズ２１およびマルチレンズ鏡筒２２を透過してフォトディテクタ２３で受光されアクチュエータを制御する信号となる。
【００２６】
また、ポラリゼーションビームスプリッタ１７に透過する光線はフロントオートパワーコントロール受光部２４に入射して光磁気ディスクの信号記録面に照射する光線のパワーを検出する信号となる。
【００２７】
次に、本発明の要部となる断面視略三角形状のマルチレンズ鏡筒２２の取付構造につき、図１（Ａ），（Ｂ）および図２を用いて説明する。
【００２８】
同図において、符号３１で示す光学部品取付用のベースには、上方に開口し前記マルチレンズ鏡筒２２を収納可能な空間３２ａを有する鏡筒収納用の凹部３２が設けられている。
【００２９】
このベース３１には、後述するシールドスプリングの折曲片を係止する複数の切り欠き３３（切り欠き３３のみ図示）および前記マルチレンズ鏡筒２２の取付位置Ｃがその内部に臨むような接着剤注入用の凹部３４が形成されている。
【００３０】
このうち凹部３４の内面には、開口面３４ａが底面３４ｂより大きくなるような傾斜面３５が形成されている。
【００３１】
３６は前記各切り欠き３３（切り欠き３３のみ図示）内に臨む折曲片３６ａ〜３６ｃを有する部品仮固定用のシールドスプリングで、前記ベース３１に前記凹部３２の開口一部を覆うように装着されており、全体が板ばねによって構成されている。
【００３２】
このシールドスプリング３６には、前記凹部３２内のマルチレンズ鏡筒２２を前記凹部３４の形成位置側と反対側の斜め上方から４５°の斜め下方に向かって矢印Ｄ方向に付勢する押圧片３７が切り起こし形成されている。
【００３３】
そして、このシールドスプリング３６は、各々が互いに直角な２内面３１ａ，３１ｂ上であって前記凹部３２内の取付位置Ｃと異なる２位置Ｍ，Ｎに前記マルチレンズ鏡筒２２を押圧接触させてレンズ鏡筒取付前において光路方向に移動調整し得るように構成されている。
【００３４】
なお、このシールドスプリング３６の弾撥力は温度変化による接着剤（後述）の伸長力より大きいものとする。
【００３５】
また、３８は前記取付位置Ｃに前記マルチレンズ鏡筒２２を取り付ける接着剤である。
【００３６】
この接着剤３８によって前記取付位置Ｃが前記マルチレンズ鏡筒２２の中心位置より下側における前記ベースの両押圧接触位置Ｍ，Ｎ間に設定される。
【００３７】
３９は前記キャリッジ１８がガイド４０に沿って駆動操作するリニアモータである。
【００３８】
４１はレーザーダイオード駆動用の基板、４２は信号処理用の基板である。
【００３９】
なお、光学ピックアップ装置の上方には、磁気ヘッド（図示せず）を組み込んでなるスライダー（図示せず）を弾性保持しディスク装着位置における光磁気ディスクの径方向に進退するロードビーム（図示せず）が設けられている。
【００４０】
このような調整部品の取付構造においては、図３に矢印Ｅ1で示すように温度変化によって取付位置Ｃにおける接着剤３８が伸長すると、この伸長力がシールドスプリング３６の弾撥力Ｄ方向と反対の矢印Ｅ2方向に沿ってマルチレンズ鏡筒２２に作用する。
【００４１】
したがって、本実施例においては、マルチレンズ鏡筒２２に対するシールドスプリング３６の付勢力を効果的に得ることができるから、マルチレンズ鏡筒２２の取付位置Ｃが温度上昇しても調整位置から変動せず、フォトディテクタにおける焦点の位置変動発生を防止することができる。
【００４２】
また、本実施例において、凹部３４の内面に開口面３４ａが底面３４ｂより大きくなるような傾斜面３５を形成したことは、凹部３４外からの取付位置Ｃの確認範囲が広くなる。
【００４３】
因に、本実施例におけるマルチレンズ鏡筒２２のベース３１への取り付けは、シールドスプリング３６によって凹部３２内の２面３１ａ，３１ｂ位置にマルチレンズ鏡筒２２を押圧接触させ、光路方向に移動調整した後、接着剤３８によって取付位置Ｃに取り付けることにより行われる。
【００４４】
なお、本実施例においては、ベース３１にマルチレンズ鏡筒２２を取り付ける構造に適用する例を示したが、本発明はこれに限定されるものではなく、マルチレンズ鏡筒２２以外の調整用光学部品を移動調整した後に接着剤によって被取付部材内に取り付ける構造にも実施例と同様に適用可能である。
【００４５】
この場合、温度変化によって接着剤が伸長すると、この伸長力がスプリングの弾撥力方向と反対の方向に沿って調整用光学部品に作用し、調整用光学部品に対するスプリングの付勢力を効果的に得ることができる。
【００４６】
また、本発明においては、光磁気ディスク装置のみならず他のディスク装置にも適用し得ることは勿論である。
【００４７】
【発明の効果】
以上説明したように請求項１の発明によれば、弾性部材によって、被取付部材に光学部品を収納する空間内の２つの面に対して、上記光学部品を押圧して取付ける光学部品の取付構造であって、上記被取付部材に形成され、上方に開口した開口部を有する凹部から上記光学部品を固定するための接着剤を注入し、上記光学部品が上記２つの面に対してそれぞれ接触する接触位置の間に上記接着剤を配置して、上記光学部品を上記空間内に固定したので、温度変化によって接着剤が伸張すると、この伸張力が弾性部材の弾撥力方向と反対の方向に沿って光学部品に作用する。
【００４８】
したがって、光学部品に対する弾性部材の付勢力を効果的に得ることができるから、温度変化による光学部品の位置変動を防止できる。
【００４９】
請求項３、４の発明によれば、弾性部材によって、被取付部材に光学部品を収納する空間内の２つの面に対して、上記光学部品を押圧して取付ける光学部品の取付構造を有し、上記被取付部材に形成され、上方に開口した開口部を有する凹部から上記光学部品を固定するための接着剤を注入し、上記光学部品が上記２つの面に対してそれぞれ接触する接触位置の間に上記接着剤を配置して、上記光学部品を上記空間内に固定したので、温度変化によって接着剤が伸張すると、この伸張力が弾性部材の弾撥力方向と反対の方向に沿って光学部品に作用する。
【００５０】
したがって、光学部品に対する弾性部材の付勢力を効果的に得ることができるから、温度変化による光学部品の位置変動が防止され特性が安定した光学系を得ることができる。
【図面の簡単な説明】
【図１】（Ａ）および（Ｂ）は本発明に係る調整用光学部品の取付構造を光磁気ディスク装置に使用した例を示す斜視図と断面図。
【図２】本発明の別の発明に係る光磁気ディスク装置の光学ピックアップ装置を示す分解斜視図。
【図３】本発明の別の発明における光磁気ディスク装置のレンズ鏡筒に温度変化による接着剤の伸長力およびスプリングの弾撥力が作用した状態を示す断面図。
【図４】マルチレンズによる非点収差の発生状態を示す図。
【図５】（Ａ）および（Ｂ）は従来における調整用光学部品の取付構造を示す斜視図と断面図。
【図６】従来における調整用光学部品に温度変化による接着剤の伸長力およびスプリングの弾撥力が作用した状態を示す断面図。
【符号の説明】
２２…マルチレンズ鏡筒
３１…ベース
３６…シールドスプリング
３８…接着剤
Ｃ…取付位置
Ｍ，Ｎ…押圧接触位置
【図１】
0003837752.tif 000002
【図２】
0003837752.tif 000003
【図３】
0003837752.tif 000004
【図４】
0003837752.tif 000005
【図５】
0003837752.tif 000006
【図６】
0003837752.tif 000007